(57)【要約】  【課題】本発明は、ブレーキ操作部材（２２）の操作中に、少なくとも一時的に、少なくとも１つのブレーキ回路（１０，１２）の少なくとも１つのホイールブレーキシリンダ（１４ａ，１４ｂ）の少なくとも１つのホイール出口弁（４０ａ，４０ｂ）を開放された状態に制御することによって、ブレーキシステムの少なくとも１つの前記ブレーキ回路（１０，１２）内のブレーキ圧上昇を、少なくとも１つの前記ブレーキ回路（１０，１２）の蓄圧容積部（４６ａ，４６ｂ）の応答圧力に制限することによって、車両のブレーキシステムを運転するための方法に関し、また本発明は、車両のブレーキシステムのためのコントロール装置（１００）、および車両のためのブレーキシステムに関する。  【解決手段】この場合、車両のそれぞれ１つの後輪に配設された、後輪ホイールブレーキシリンダ（１４ａ，１４ｂ）の後輪ホイール出口弁（４０ａ，４０ｂ）が、前記ブレーキ操作部材（２２）の操作中に、少なくとも一時的に開放された状態に制御され、後輪ホイール出口弁（４０ａ，４０ｂ）が開放された状態に制御されている間、少なくとも一時的に、車両のそれぞれ１つの前輪に配設された、前輪ホイールブレーキシリンダ（１６ａ，１６ｂ）の前輪ホイール入口弁（３４ａ，３４ｂ）が閉鎖された状態に制御される。  【選択図】図１
2016500350.tif 000002
【特許請求の範囲】
【請求項１】
車両のブレーキシステムを運転するための方法であって、
ブレーキシステムのマスタブレーキシリンダ（１８）に接続されたブレーキ操作部材（２２）が車両の運転者によって操作されている間、少なくとも一時的に、少なくとも１つのブレーキ回路（１０，１２）の少なくとも１つのホイールブレーキシリンダ（１４ａ，１４ｂ）の少なくとも１つのホイール出口弁（４０ａ，４０ｂ）を開放された状態に制御することによって、ブレーキシステムの少なくとも１つの前記ブレーキ回路（１０，１２）内のブレーキ圧上昇を、少なくとも１つの前記ブレーキ回路（１０，１２）の蓄圧容積部（４６ａ，４６ｂ）の応答圧力に制限するステップを有している方法において、
車両のそれぞれ１つの後輪に配設された、後輪ホイールブレーキシリンダ（１４ａ，１４ｂ）の後輪ホイール出口弁（４０ａ，４０ｂ）を、前記ブレーキ操作部材（２２）の操作中に少なくとも一時的に、開放された状態に制御し、前記後輪ホイールブレーキシリンダ（１４ａ，１４ｂ）の前記後輪ホイール出口弁（４０ａ，４０ｂ）が開放された状態に制御されている間、少なくとも一時的に、車両のそれぞれ１つの前輪に配設された前輪ホイールブレーキシリンダ（１６ａ，１６ｂ）の前輪ホイール入口弁（３４ａ，３４ｂ）を、閉鎖された状態に制御することを特徴とする、車両のブレーキシステムを運転するための方法。
【請求項２】
前記後輪ホイールブレーキシリンダ（１４ａ，１４ｂ）の前記後輪ホイール出口弁（４０ａ，４０ｂ）が開放された状態に制御されている間、少なくとも一時的に、前記後輪ホイールブレーキシリンダ（１４ａ，１４ｂ）の前記後輪ホイール入口弁（３２ａ，３２ｂ）を開放された状態に制御する、請求項１に記載の方法。
【請求項３】
前記後輪ホイールブレーキシリンダ（１４ａ，１４ｂ）の前記後輪ホイール出口弁（４０ａ，４０ｂ）が開放された状態に制御されている間、前記前輪ホイールブレーキシリンダ（１６ａ，１６ｂ）の前記前輪ホイール入口弁（３４ａ，３４ｂ）を、前記前輪ホイールブレーキシリンダ（１６ａ，１６ｂ）がブレーキ圧上昇なしに前以て充填されるように、遅らせて開放状態に制御する、請求項１または２に記載の方法。
【請求項４】
前記ブレーキ回路（１０，１２）内の圧力上昇を前記応答圧力に制限するために、前記後輪ホイール出口弁（４０ａ，４０ｂ）を開放された状態にする制御と、前記前輪ホイールブレーキシリンダ（３４ａ，３４ｂ）を閉鎖された状態にする制御とを同時に行う、請求項１または２に記載の方法。
【請求項５】
前記ブレーキ回路（１０，１２）内の圧力上昇を前記応答圧力に制限する前に、前記ブレーキ操作部材（２２）の操作の操作力に相当するジェネレータトルク（Ｍｇｅｎ）を車両の少なくとも１つの電動機によって生ぜしめることができるかどうかを確認し、前記操作力に相当する前記ジェネレータブレーキトルク（Ｍｇｅｎ）を少なくとも１つの前記電動機によって生ぜしめることができる場合にだけ、前記ブレーキ回路（１０，１２）内の圧力上昇を前記応答圧力に制限する、先行請求項のいずれか１項に記載の方法。
【請求項６】
前記ブレーキ回路（１０，１２）内の圧力上昇を前記応答圧力に制限した後で、前記操作力に相当する前記ジェネレータブレーキトルク（Ｍｇｅｎ）を少なくとも１つの前記電動機によってもはや生ぜしめることができないことが確認されると、前輪ホイールブレーキシリンダ（１６ａ，１６ｂ）の前記前輪ホイール入口弁（３４ａ，３４ｂ）を閉鎖された状態から開放された状態に制御する、請求項５に記載の方法。
【請求項７】
前記前輪ホイールブレーキ入口弁（３４ａ，３４ｂ）を閉鎖された状態から開放された状態に制御した後で、Δｐ制御を、前記後輪ホイールブレーキシリンダ（１４ａ，１４ｂ）の前記後輪ホイール入口弁（４０ａ，４０ｂ）によって実施する、請求項６に記載の方法。
【請求項８】
前記前輪ホイール入口弁（３４ａ，３４ｂ）を閉鎖された状態から開放された状態に制御した後で、操作力に相当する前記ジェネレータブレーキトルク（Ｍｇｅｎ）を少なくとも１つの前記電動機によって新たに生ぜしめることができると確認されると、前記後輪ホイール出口弁（４０ａ，４０ｂ）を開放された状態に制御することによって、前記ブレーキ回路（１０，１２）内に存在するブレーキ圧を前記応答圧力に制限する、請求項６または７に記載の方法。
【請求項９】
車両のブレーキシステムのためのコントロール装置（１００）であって、
制御装置（１０２）を有しており、該制御装置（１０２）によって、ブレーキシステムの少なくとも１つのブレーキ回路（１０，１２）のホイールブレーキシリンダ（１４ａ，１４ｂ）の少なくとも１つのホイール出口弁（４０ａ，４０ｂ）が、前記ブレーキシステムのマスタブレーキシリンダ（１８）に接続されたブレーキ操作部材（２２）の、車両の運転者による操作の操作力に関する、提供された少なくとも１つのセンサ信号（１０４）を考慮して、開放された状態に制御可能であり、それによって、少なくとも１つの前記ブレーキ回路（１０，１２）内のブレーキ圧上昇が、前記ブレーキ操作部材（２２）の操作中に少なくとも一時的に、少なくとも１つの前記ブレーキ回路（１０，１２）の蓄圧容積部（４６ａ，２６ｂ）の応答圧力に制限可能である、
形式のものにおいて、
前記制御装置（１０２）はさらに、車両のそれぞれ１つの後輪に配設された、後輪ホイールブレーキシリンダ（１４ａ，１４ｂ）の後輪ホイール出口弁（４０ａ，４０ｂ）が、前記ブレーキ操作部材（２２）の操作中に少なくとも一時的に、少なくとも１つの第１の制御信号（１０６，ｌａ−ＨＲ）によって開放された状態に制御されるように設計され、かつ、少なくとも１つの前記第１の制御信号（１０６，ｌａ−ＨＲ）が前記後輪ホイール出口弁（４０ａ，４０ｂ）に提供されている間、少なくとも一時的に、車両のそれぞれ１つの前輪に配設された、前輪ホイールブレーキシリンダ（１６ａ，１６ｂ）の前輪ホイール入口弁（３４ａ，３４ｂ）が、少なくとも１つの第２の制御信号（１０８，ｌｅ−ＶＲ）によって、閉鎖された状態に制御されるように設計されていることを特徴とする、車両のブレーキシステムのためのコントロール装置（１００）。
【請求項１０】
車両のためのブレーキシステムにおいて、請求項９に記載したコントロール装置（１００）を有する、車両のためのブレーキシステム。
【発明の詳細な説明】
【技術分野】
【０００１】
本発明は、車両のブレーキシステムを運転するための方法に関する。また本発明は、車両のブレーキシステムのためのコントロール装置、および車両のためのブレーキシステムに関する。
【背景技術】
【０００２】
特許文献１には、電気駆動装置を備えた、自動車のブレーキ装置をコントロールするための方法および装置について記載されている。電気駆動装置を用いて車両を制動する際に、同時にバッテリーを充電するために、液圧式のブレーキ装置の少なくとも１つのホイールブレーキシリンダによって少なくとも１つのホイールに加えられた液圧ブレーキトルクは、ブレーキペダルの操作にも拘わらず、低下／作動停止されるべきである。このために、液圧ブレーキ装置のホイール出口弁を開放することで、マスタブレーキシリンダから送出された圧力手段が、少なくとも１つのホイールブレーキシリンダを介して少なくとも１つのリザーブチャンバに移送されるようにすることによって、ブレーキペダルの操作によりマスタブレーキシリンダからホイールブレーキに送り込まれた圧力手段に対抗する必要がある。このような形式で、電気駆動装置によって実行された回生的な制動が消費可能でなければならない。
【先行技術文献】
【特許文献】
【０００３】
【特許文献１】ドイツ連邦共和国特許公開第１９６０４１３４号明細書
【発明の概要】
【０００４】
本発明によれば、請求項１の特徴を有する車両のブレーキシステムを運転するための方法、請求項９の特徴を有する車両のブレーキシステムのための制御装置、請求項１０の特徴を有する車両のためのブレーキシステムが提供される。
【発明の効果】
【０００５】
本発明によれば、マスタブレーキシリンダに接続されたブレーキ操作部材の操作にも拘わらず、ブレーキ圧を応答圧力と同じ圧力に調節することができる。これによって、運転者が直接的にマスタブレーキシリンダ内に制動力を加えるにも拘わらず、第１のブレーキ回路内でも、また第２のブレーキ回路内でも、応答圧力を越えるブレーキ圧上昇を確実に防止／阻止することができる。
【０００６】
しかも、本発明によれば、ブレーキ液をブレーキシステムのマスタブレーキシリンダから少なくとも１つのブレーキ回路の少なくとも１つの蓄圧容積部内に、後輪ホイールブレーキシリンダだけを介して送り込むことができ、これに対して前輪ホイールブレーキシリンダは充填されないままである。これは、ブレーキ液をマスタブレーキシリンダから少なくとも１つの蓄圧容積部内に送り込むために後輪ホイール出口弁（および後輪ホイール入口弁）が開放され、その一方で、前輪ホイール入口弁は（少なくとも一時的に）閉鎖維持／閉鎖されることによって、保証される。従って、本発明によれば、ブレーキ回路内に存在する残留ブレーキ圧／応答圧力がゼロではないにも拘わらず、前輪ホイールブレーキシリンダ内のブレーキ圧が（ほぼ）ゼロであることが保証される。従って、本発明を用いれば前輪ホイールブレーキシリンダに残留スリップトルクが残ることはない。従って本発明は、前輪ホイールブレーキシリンダのブレーキライニングを丁寧に扱うために使用することができる。
【０００７】
本発明は、従来のブレーキシステムに、車両のその都度の車軸のための様々なホイールブレーキシリンダを追加的に頻繁に装備するために役立つ。一般的に、車両の後車軸に後輪ホイールブレーキシリンダが配設されており、この後輪ホイールブレーキシリンダの定数は、車両の前車軸に配設された前輪ホイールブレーキシリンダの定数よりも著しく小さい。典型的な形式で、前輪ホイールブレーキシリンダの定数は、後輪ホイールブレーキシリンダの定数よりも、少なくともファクター２〜３だけ大きい。ホイールブレーキシリンダの定数は、生ぜしめられたブレーキトルクと、その都度のホイールブレーキシリンダ内に形成されたブレーキ圧との比を表わしており、従って、後輪ホイールブレーキシリンダ内および前輪ホイールブレーキシリンダ内に作用する同じ圧力から、後輪ホイールブレーキシリンダによって生ぜしめられた後輪ブレーキトルクよりも少なくともファクター２〜３だけ大きい、前輪ホイールブレーキシリンダによって生ぜしめられた前輪ブレーキトルクが得られる。本発明を用いた場合、前輪ホイールブレーキシリンダ内に（ほぼ）ゼロのブレーキ圧が実現されるので、前輪ブレーキトルクと後輪ブレーキトルクとを合計した全ブレーキトルクは著しく低下される。
【０００８】
従って、本発明の方法および相応のコントロール装置は、特に回生ブレーキシステムのために有利である。回生ブレーキシステムのために本発明を用いることによって、回生中に回生効果が高められ、それによって車両バッテリーはより高速で充電される。従って、本発明は、低いエネルギ消費および低い排出有害物質による車両の走行を保証する。しかしながら、本発明の使用可能性は回生ブレーキシステムだけに限定されないことを、指摘しておく。
【０００９】
好適な実施例によれば、後輪ホイールブレーキシリンダの前記後輪ホイール出口弁が開放された状態に制御されている間、少なくとも一時的に、前記後輪ホイールブレーキシリンダの前記後輪ホイール入口弁が開放された状態に制御される。従って、マスタブレーキシリンダから送出されたブレーキ液容積は、開放された後輪ホイール入口弁および、同様に開放された後輪ホイール出口弁を介して確実に、ブレーキ回路の蓄圧容積部内に押しやられる。
【００１０】
好適な形式で、後輪ホイールブレーキシリンダの後輪ホイール出口弁が開放された状態に制御されている間、前輪ホイールブレーキシリンダの前輪ホイール入口弁は、前輪ホイールブレーキシリンダがブレーキ圧上昇なしに前以て充填されるように、遅らせて閉鎖状態に制御される。このような形式で、前輪ホイールブレーキシリンダのいわゆる無駄容積を克服することができる。従って、遅れた時点で、前輪ホイールブレーキシリンダ内の所望のブレーキ圧上昇を迅速かつ確実に実施することができる。
【００１１】
しかしながら選択的に、ブレーキ回路内の圧力上昇を応答圧力に制限するために、後輪ホイール出口弁を開放された状態にする制御と、前輪ホイールブレーキシリンダを閉鎖された状態にする制御とを同時に行ってもよい。
【００１２】
好適な実施態様によれば、ブレーキ回路内の圧力上昇を応答圧力に制限する前に、ブレーキ操作部材の操作の操作力に相当するジェネレータトルクを車両の少なくとも１つの電動機によって生ぜしめることができるかどうかを確認し、操作力に相当するジェネレータブレーキトルクを少なくとも１つの電動機によって生ぜしめることができる場合にだけ、ブレーキ回路内の圧力上昇が応答圧力に制限される。従って、従来技術に対して低減された両ブレーキ回路内のブレーキ圧は、運転者によって予め設定された目標全ブレーキトルクを越えることなしに、比較的大きいジェネレータブレーキトルクを車両に作用させるために、利用される。従って、このような好適な方法によって、車両バッテリーをより高速で充電することを可能にする。
【００１３】
好適な実施態様によれば、ブレーキ回路内の圧力上昇を応答圧力に制限した後で、操作力に相当する前記ジェネレータブレーキトルクを少なくとも１つの電動機によってもはや生ぜしめることができないことが確認されると、前輪ホイールブレーキシリンダの前輪ホイール入口弁が閉鎖された状態から開放された状態へ制御される。このような形式で、前輪ホイールブレーキシリンダ内のブレーキ圧を上昇させることによって、迅速かつ確実に、少なくとも１つの電動機の縮小された使用可能性および／または比較的高い運転者制動要求に応ずることができる。
【００１４】
場合によっては、前輪ホイール入口弁を閉鎖された状態から開放された状態へ制御した後で、Δｐ制御が、後輪ホイールブレーキシリンダの後輪ホイール入口弁によって実施される。これによって、ブレーキ回路内のブレーキ圧は、運転者によって予め設定された目標遅延度が確実に維持できるように、正確に調整される。
【００１５】
しかも、前輪ホイール入口弁を閉鎖された状態から開放された状態へ制御した後で、操作力に相当するジェネレータブレーキトルクを少なくとも１つの電動機によって新たに生ぜしめることができると確認されると、後輪ホイール出口弁を開放された状態に制御することによって、ブレーキ回路内に存在するブレーキ圧を応答圧力に制限することができる。従って、このような状況においても、ブレーキ回路内に存在するブレーキ圧を確実に応答圧力に低下させることができる。
【００１６】
上記利点は、車両のブレーキシステムのための、このような形式のコントロール装置においても保証されている。このようなコントロール装置は、車両のブレーキシステムを運転するための方法の実施例に従ってさらに構成可能であることを、明確に指摘しておく。
【００１７】
また、以上記載した利点は、このような形式のコントロール装置を備えた車両のためのブレーキシステムにおいても保証されている。
【図面の簡単な説明】
【００１８】
【図１】コントロール装置の実施例の概略図である。
【図２ａ】回生ブレーキシステムを運転するための方法の実施例を示す座標系である。
【図２ｂ】回生ブレーキシステムを運転するための方法の実施例を示す座標系である。
【図２ｃ】回生ブレーキシステムを運転するための方法の実施例を示す座標系である。
【図２ｄ】回生ブレーキシステムを運転するための方法の実施例を示す座標系である。
【発明を実施するための形態】
【００１９】
本発明のその他の特徴および利点を以下に図面を用いて説明する。
【００２０】
図１は、コントロール装置の実施例を概略的に示す。
【００２１】
図１に概略的に示したコントロール装置１００および、このコントロール装置１００と協働するブレーキシステムは、例えばハイブリッド自動車または電気自動車に使用可能である。しかしながら、コントロール装置１００および、以下に記載したブレーキシステムの使用可能性は、ハイブリッド自動車または電気自動車への使用に限定されない。
【００２２】
ここで例として示されたブレーキシステムは、第１のブレーキ回路１０と第２のブレーキ回路１２とを有しており、これらのブレーキ回路はそれぞれ２つのホイールブレーキシリンダ１４ａ，１４ｂ，１６ａ，１６ｂを備えている。任意形式で、２つのブレーキ回路１０および１２はそれぞれ、後輪ホイールブレーキシリンダ１４ａまたは１４ｂ並びに前輪ホイールブレーキシリンダ１６ａおよび１６ｂを有している。しかしながら、以下に記載したブレーキシステムは、このような形式のブレーキ回路分割（Ｘ型ブレーキ回路分割）に限定されない。ブレーキ回路１０および１２に対応配設されたホイールは、例えば車両の共通の軸線にまたは車両の一方側に配置されていてもよい。
【００２３】
このブレーキシステムはマスタブレーキシリンダ１８を有しており、このマスタブレーキシリンダ１８は、例えばタンデム型マスタブレーキシリンダとして構成可能である。マスタブレーキシリンダ１８は、少なくとも１つのブレーキ液交換開口、例えばスニッファ孔を介してブレーキ液リザーブタンク２０に接続されている。しかしながら、このコントロール装置１００の使用可能性は、タンデム型マスタブレーキシリンダへの使用またはマスタブレーキシリンダ１８の所定の構成に限定されない。
【００２４】
ブレーキシステムは、好適な形式で、マスタブレーキシリンダ１８に配置されたブレーキ操作部材２２、例えばブレーキペダルを有している。好適な形式で、ブレーキ操作部材２２はマスタブレーキシリンダ１８に直接的または間接的に配置されており、それによって、少なくとも最小ブレーキ操作力によりブレーキ操作部材２２を操作する際に、少なくとも１つのピストンが少なくとも運転者ブレーキ力によって調節可能であるように、ブレーキ操作部材２２に加えられた運転者ブレーキ力が、マスタブレーキシリンダ１８の少なくとも１つの調節可能なピストン、例えばロッド形ピストンおよび浮動ピストンに伝達可能である。好適な形式で、少なくとも１つのピストンのこのような調節によって、マスタブレーキシリンダ１８の少なくとも１つの圧力チャンバ内の内圧が上昇せしめられる。
【００２５】
好適な形式で、このブレーキシステムは、少なくとも１つのブレーキ操作部材センサ２４も有しており、このブレーキ操作部材センサ２４によって、運転者によるブレーキ操作部材２２の操作の操作力が算出可能である。ブレーキ操作部材センサ２４は例えばペダルストロークセンサ、差分ストロークセンサおよび／またはロッドストロークセンサであってよい。しかしながら、運転者制動要求に相当する操作力を検出するために、以上列挙した形式のセンサの代わりにまたはそれに追加して、別の形式のセンサを使用してもよい。
【００２６】
このような形式のブレーキシステムは、ブレーキ倍力装置２６も有している。ブレーキ倍力装置２６によって、マスタブレーキシリンダ１８の少なくとも１つのピストンに増幅力が伝達され、それによって、運転者によるブレーキ操作部材２２の操作が軽減されるようになっている。ブレーキ倍力装置２６は、特に常時閉ループ制御式／常時開ループ制御式のブレーキ倍力装置であってよい。
【００２７】
図１に示したブレーキシステムは、電気機械式のブレーキ倍力装置２６を有している。電気機械式のブレーキ倍力装置２６は、可変な増幅力を特徴としている。従って、電気機械式のブレーキ倍力装置２６によって、運転者により認識可能なブレーキ操作力を制動中に簡単な形式で制御することができる。しかしながら、コントロール装置１００と協働するブレーキシステムは、電気機械式のブレーキ倍力装置２６の代わりに別の型式のブレーキ倍力装置２６を有していてもよい。
【００２８】
以下に、図１を参照しながら、ブレーキシステムの実施例の構成要素を説明する。以下に記載したブレーキシステムの構成要素は、好適なブレーキシステムの可能な構成のための１例を示しているだけであることを、明確に指摘しておく。以下に詳細に記載したコントロール装置１００の利点は、このコントロール装置１００と協働するブレーキ回路１０および１２が所定の構成に、または所定の構成要素の使用に限定されない、という点にある。その代わり、ブレーキ回路１０および１２は、コントロール装置１００の使用可能性および利点を損なうことなしに、高い選択自由度で変更することができる。
【００２９】
各ブレーキ回路１０および１２は、運転者がマスタブレーキシリンダ１８を介して直接的にホイールブレーキシリンダ１４ａ，１４ｂ，１６ａおよび１６ｂ内に制動力を発生させることができるように、構成されている。各ブレーキ回路１０および１２は、高圧切換弁２８ａまたは２８ｂおよび切換弁３０ａまたは３０ｂ（これらの切換弁は、これらの切換弁と平行に延在する各１つのバイパス管路２９ａおよび２９ｂと、各バイパス管路２９ａおよび２９ｂ内に配置された逆止弁３１ａおよび３１ｂとを備えている）を有している。
【００３０】
第１のブレーキ回路１０内で後輪ホイールブレーキシリンダ１４ａに、後輪ホイール入口弁３２ａが配設され、前輪ホイールブレーキシリンダ１６ａに前輪ホイール入口弁３４ａが配設されており、これらの入口弁３２ａ，３４ａは、それぞれこれら入口弁に対して平行に延在するバイパス管路３６ａおよび、各バイパス管路３６ａ内に配置された逆止弁３８ａを備えている。追加的に、後輪ホイール出口弁４０ａが後輪ホイールブレーキシリンダ１４ａに配設されていて、前輪ホイール出口弁４２ａが前輪ホイールブレーキシリンダ１６ａに配設されている。相応に、第２のブレーキ回路１２内でも、後輪ホイール入口弁３２ｂが後輪ホイールブレーキシリンダ１４ａに配設され、前輪ホイール入口弁３４ｂが前輪ホイールブレーキシリンダ１６ｂに配設されている。第２のブレーキ回路１２の２つのホイール入口弁３２ｂおよび３４ｂのそれぞれに対して平行に、それぞれ１つのバイパス管路３６ｂが延在しており、このバイパス管路３６ｂ内に逆止弁３８ｂが配置されている。さらに、第２のブレーキ回路１２内でも、後輪ホイール出口弁４０ｂが後輪ホイールブレーキシリンダ１４ｂに配設され、前輪ホイール出口弁４２ｂが前輪ホイールブレーキシリンダ１６ｂに配設されている。
【００３１】
さらに、ブレーキ回路１０および１２がそれぞれ１つのポンプ４４ａおよび４４ｂを有しており、これらのポンプの吸込み側がホイール出口弁４０ａおよび４２ａまたは４０ｂおよび４２ｂに接続されていて、その吐出側がホイール入口弁３２ａおよび３４ａまたは３２ｂおよび３４ｂに向けられている。ブレーキ回路１０および１２はそれぞれ追加的に、ホイール出口弁４０ａおよび４２ａまたは４０ｂおよび４２ｂと所属のポンプ４４ａまたは４４ｂとの間に配置された、蓄圧容積部４６ａまたは４６ｂとしてのリザーブチャンバ４６ａまたは４６ｂを有していて、また各ポンプ４４ａまたは４４ｂとリザーブチャンバ４６ａおよび４６ｂとの間に位置する圧力逃がし弁４８ａまたは４８ｂを有している。各リザーブチャンバ４６ａおよび４６ｂは、低圧リザーブチャンバであってよい。リザーブチャンバ４６ａおよび４６ｂは、２つのブレーキ回路１０および１２内でＥＳＰリザーブチャンバとして利用可能であることを指摘しておく。
【００３２】
ポンプ４４ａおよび４４ｂは、モータ５２の共通の軸５０に配置されていてよい。各ポンプ４４ａおよび４４ｂは３連ピストンポンプとして構成されていてよい。しかしながら、３連ピストンポンプの代わりに、少なくとも１つのポンプ４４ａおよび４４ｂのために別のポンプ型式を使用してもよい。別の構成を有するモジュレーションシステム、例えば複数または少数のピストン、非対称的なポンプまたは歯車ポンプを備えたポンプも、同様に使用可能である。従って、このコントロール装置１００と協働するブレーキシステムは、変更された標準型のモジュレーションシステム、特に６連ピストン−ＥＳＰ−システムとして構成可能である。
【００３３】
しかも、２つのブレーキ回路１０および１２はそれぞれ、特にフィード圧力および／または回路圧力を算出するための少なくとも１つの圧力センサ５４を有している。
【００３４】
上記ブレーキシステムは、以下に記載したコントロール装置１００によって制御可能である。しかしながら、以下に記載したコントロール装置１００の使用可能性は、このような形式で構成されたブレーキシステムとの協働作業に限定されるものではないことを指摘しておく。
【００３５】
以下に記載したコントロール装置１００は、特にブレーキシステムの電子制御回路内に組み込むことができる。しかしながら、このコントロール装置１００の構成可能性は、このような形式の集積化に限定されるものではない。例えば、このコントロール装置１００は、別個に構成されかつ配置された、ブレーキシステムの電子制御回路と協働して使用してもよい。
【００３６】
コントロール装置１００は制御装置１０２を有しており、この制御装置１０２によって、２つのブレーキ回路１０および１２の少なくとも後輪ホイール出口弁４０ａ，４０ｂおよび前輪ホイール入口弁３４ａ，３４ｂが制御可能である。２つのブレーキ回路１０および１２の後輪ホイール出口弁４０ａ，４０ｂおよび前輪ホイール入口弁３４ａ，３４ｂの制御が、制御装置１０２によって、マスタブレーキシリンダ１８に接続されたブレーキ操作部材２２の、車両の運転者による操作の操作力に関する、提供された少なくとも１つのセンサ信号１０４を考慮して行われる。センサ信号１０４は、特に既に前述したブレーキ操作部材センサ２４によって提供される。制御の際に考慮された操作力は、例えば算出された運転者制動力、運転者ブレーキ圧および／またはブレーキ操作部材２２の操作ストローク／調節ストローク、例えば特にロッドストロークである。しかしながら、ここに列挙した操作力のための可能性は例として挙げただけである。
【００３７】
後輪ホイールブレーキシリンダ１４ａ，１４ｂの、車両のそれぞれ１つの後車輪に配設された後輪ホイール出口弁４０ａ，４０ｂは、制御装置１０２の少なくとも１つの第１の制御信号１０６によって、開放状態に制御可能である。少なくとも１つの第１の制御信号１０６が後輪ホイール出口弁４０ａおよび４０ｂに提供されている間、少なくとも一時的に、車両のそれぞれ１つの前車輪に配設された、前輪ホイールブレーキシリンダ１６ａ，１６ｂの前輪ホイール入口弁３４ａ，３４ｂは、制御装置１０２の少なくとも１つの第２の制御信号１０８によって、閉鎖状態に制御可能である。制御装置１０２の第１の制御信号１０６によって開放状態に制御された、後輪ホイールブレーキシリンダ１４ａ，１４ｂの後輪ホイール出口弁４０ａ，４０ｂを介して（および後輪ホイールブレーキシリンダ１４ａ，１４ｂの少なくとも部分的に開放された後輪ホイール入口弁３２ａ，３２ｂを介して）、ブレーキ液は蓄圧容積部／リザーブチャンバ４６ａおよび４６ｂ内に送り込まれる。このような形式で、ブレーキ回路１０および１２内のブレーキ圧上昇は、（ブレーキ操作部材２２の操作に基づいて）マスタブレーキシリンダ１８からブレーキ回路１０および１２内に送り込まれたブレーキ液にも拘わらず、ブレーキ回路１０および１２の蓄圧容積部／リザーブチャンバ４６ａおよび４６ｂの応答圧力に制限可能である。それと同時に、制御装置１０２の少なくとも１つの第２の制御信号１０８によって、前輪ホイールブレーキシリンダ１６ａ，１６ｂの前輪ホイール入口弁３４ａ，３４ｂを少なくとも一時的に閉鎖状態に制御することによって、前輪ホイールブレーキシリンダ１６ａ，１６ｂ内の（ほぼ）ゼロのブレーキ圧が保証され得る。
【００３８】
これによって、ブレーキ液が蓄圧容積部／リザーブチャンバ４６ａおよび４６ｂ内に送り込まれている間、後輪ホイールブレーキシリンダ１４ａ，１４ｂ内に、応答圧力と（ほぼ）同じブレーキ圧が存在し、これに対して、前輪ホイールブレーキシリンダ１６ａ，１６ｂ内には、（ほぼ）ゼロのブレーキ圧が存在する。蓄圧容積部／リザーブチャンバ４６ａおよび４６ｂ内へのブレーキ液の移動と、その後のブレーキ回路１０および１２内の（所望の）圧力上昇との間の時間においても、後輪ホイールブレーキシリンダ１４ａおよび１４ｂ内のブレーキ圧は応答圧力と（ほぼ）同じであり、これに対して前輪ホイールブレーキシリンダ１６ａおよび１６ｂ内では（ほぼ）ゼロのブレーキ圧が実現されている。
【００３９】
従って、蓄圧容積部４６ａおよび４６ｂ内へのブレーキ液の移動中、およびその間の時間中に、応答圧力に相当する後輪ブレーキトルクだけが後輪に作用し、この際に同時に、（ほぼ）ゼロである前輪ブレーキトルクが前輪に作用する。従って、その結果発生した、後輪ブレーキトルクおよび前輪ブレーキトルクから成る「液圧の」ブレーキトルクは、比較的低い。
【００４０】
さらに、コントロール装置１００は、一般的に車両の様々な車軸に、様々な型式のホイールブレーキシリンダ１４ａ，１４ｂ，１６ａおよび１６ｂが使用されているという事実を利用する。一般的に、後輪に加えられた後輪ブレーキトルクのためにＭＨＲが適用される：
（式１）ＭＨＲ＝２＊ｐ＊ｃＨＲ，
この式中、ｐは、後輪ホイールブレーキシリンダ１４ａおよび１４ｂ内に存在するブレーキ圧、ｃＨＲは、後輪ホイールブレーキシリンダ１４ａおよび１４ｂの定数である。
【００４１】
相応に、前輪に加えられた前輪ブレーキトルクのためにＭＶＲが適用される：
（式２）ＭＶＲ＝２＊ｐ＊ｃＶＲ，
この式中、ｐは、前輪ホイールブレーキシリンダ１６ａおよび１６ｂ内に存在するブレーキ圧、ｃＶＲは、前輪ホイールブレーキシリンダ１６ａおよび１６ｂの定数である。
一般的に次の式が適用される：
（式３）ｃＶＲ≧２＊ｃＨＲ
【００４２】
少なくとも１つの第１の制御信号１０６による、後輪ホイールブレーキシリンダ１４ａおよび１４ｂの後輪ホイール出口弁４０ａおよび４０ｂの制御、および、その間に少なくとも一時的に実施される少なくとも１つの第２の制御信号１０８による、前輪ホイールブレーキシリンダ１６ａ，１６ｂの前輪ホイール入口弁３４ａ，３４ｂの制御によって、「液圧の」ブレーキトルクＭｈが生じる：
（式４）Ｍｈ＝２＊ｐ＊ｃＨＲ，
【００４３】
後輪ホイール出口弁４０ａおよび４０ｂの代わりに、前輪ホイール出口弁４２ａおよび４２ｂがブレーキ液を移動させるために使用される場合、次の式が適用される：
（式５）Ｍｈ≧４＊ｐ＊ｃＨＲ
【００４４】
ブレーキ操作部材の操作にも拘わらず、前記式（式４）により与えられた低い「液圧の」ブレーキトルクＭｈは、少なくとも１つの（図示していない）電動機により生ぜしめられたジェネレータブレーキトルクを上昇させるために利用される。従って、このブレーキシステムを備えた車両のバッテリーは、充電過程中に運転者によってブレーキ操作部材２２を操作することにより提供された車両減速度を越えることなしに、より高速で充電される。
【００４５】
従って、このコントロール装置１００を備えたブレーキシステムは、高い回生効率の利点を消費の実施可能性に統合する。しかも、このコントロール装置１００を使用することによって、運転者により感知される、ブレーキ操作部材２２における反力なしで消費を実施することができる。
【００４６】
このコントロール装置１００を使用した場合、ブレーキ回路１０および１２の蓄圧容積部４６ａおよび４６ｂとして使用されるリザーブチャンバ４６ａおよび４６ｂの応答圧力の高さは重要性を失うことを、明確に指摘しておく。従って、ブレーキ回路１０および１２の蓄圧容積部４６ａおよび４６ｂの応答圧力は、応答圧力および残圧から発生する「液圧の」ブレーキトルクＭｈが著しく高められることなしに、比較的高くすることができる。従って、安価な蓄圧容積部４６ａおよび４６ｂを、このコントロール装置１００と共に使用することもできる。
【００４７】
さらに、前輪ホイールブレーキシリンダ１６ａおよび１６ｂの前輪ホイール入口弁３４ａおよび３４ｂを閉じた状態で、制御装置１０２の少なくとも１つの第２の制御信号１０８によって制御することによって、そのブレーキライニングの摩耗を阻止／遅延させることができる。従って、このコントロール装置１００は、ブレーキライニングを丁寧に使用することもできる。
【００４８】
さらに、このコントロール装置１００は追加的に、以下に記載した方法ステップで実施するために設計されている。特に、以下に記載した制御信号ｌｅ−ＨＲ，ｌｅ−ＶＲ，ｌａ−Ｈｒおよびｌａ−ＶＲは、コントロール装置１００からアウトプット可能であり、この場合、制御信号ｌｅ−ＨＲは後輪ホイール入口弁３２ａおよび３２ｂにアウトプット可能／アウトプットされ、制御信号ｌｅ−ＶＲ（第２の制御信号１０８として）は前輪ホイール入口弁３４ａおよび３４ｂにアウトプット可能／アウトプットされ、制御信号ｌａ−ＨＲ（第１の制御信号１０６として）は後輪ホイール出口弁４０ａおよび４０ｂにアウトプット可能／アウトプットされ、制御信号ｌａ−ＶＲは前輪ホイール出口弁４２ａおよび４２ｂにアウトプット可能／アウトプットされる。従って、ここでは、コントロール装置１００のさらに実現可能な機能形式のより詳しい説明は省略される。
【００４９】
上記利点は、コントロール装置１００、若しくはコントロール装置１００の相応の実施態様を備えた車両のためのブレーキシステムにおいても実現可能である。このブレーキシステムにおいて、コントロール装置１００は、少なくとも制御信号をアウトプットするためにのみ構成されているのではないことを、明確に指摘しておく。その代わり、このコントロール装置１００は、少なくとも弁３４ａ，３４ｂ，４０ａおよび４０ｂと接続されていて、それによって、（ブレーキシステムの運転中に）少なくとも第１の制御信号１０６が後輪ホイール出口弁４０ａおよび４０ｂに、また第２の制御信号１０８が前輪ホイール入口弁３４ａおよび３４ｂにアウトプット可能／アウトプットされる。好適な実施態様によれば、このブレーキシステムは接続回路を有しており、この接続回路は、制御信号ｌｅ−ＨＲが後輪ホイール入口弁３２ａおよび３２ｂにアウトプット可能／アウトプットされ、制御信号ｌｅ−ＶＲ（第２の制御信号１０８として）が前輪ホイール入口弁３４ａおよび３４ｂにアウトプット可能／アウトプットされ、制御信号ｌａ−ＨＲ（第１の制御信号１０６として）が後輪ホイール出口弁４０ａおよび４０ｂにアウトプット可能／アウトプットされ、制御信号ｌａ−ＶＲが前輪ホイール出口弁４２ａおよび４２ｂにアウトプット可能／アウトプットされることを、保証する。
【００５０】
図２ａ〜図２ｃは、車両のブレーキシステムを運転するための方法の実施例を表わすための３つの座標系を示す。
【００５１】
分かり易くするために、この方法を、上記回生ブレーキシステムを用いて説明する。しかしながら、この方法の実施可能性は、上記ブレーキシステムの使用に限定されない。
【００５２】
図２ａ〜図２ｃの座標系において、横座標は時間軸ｔである。図２ａの座標系の縦座標はブレーキトルクＭを示す。図２ｂの座標系の縦座標は蓄圧容積Ｖであり、この蓄圧容積Ｖは、ブレーキ回路のリザーブチャンバ／蓄圧容積部内に一時的に蓄えられている。（規格化された）電流の強さＩは、図２ｃの座標系の縦座標によって示されている。
【００５３】
時点ｔ０まで、運転者はブレーキ操作部材に力を加えない。従って、この方法によって運転されたブレーキシステムのブレーキ操作部材は、時点ｔ０までその初期位置／非操作位置にある。
【００５４】
時点ｔ０から、運転者は次第に大きくなる力をブレーキ操作部材に作用させ、これによってブレーキ操作部材が位置調節される。しかしながら、時点ｔ０とｔ１との間で、運転者によって要求された目標全ブレーキトルクＭｇｅｓは、少なくとも１つの電動機によって最大実施可能な可能ジェネレータブレーキトルクＭｋａｎｎを下回っている。従って、時点ｔ０とｔ１との間で（実行された）ジェネレータブレーキトルクＭｇｅｎは、目標全ブレーキトルクＭｇｅｓに応じて調節され、完全な運転者制動要求は純粋に回生的に満たされる。
【００５５】
純粋に回生的な制動を実行するために、時点ｔ０およびｔ１の間、ブレーキシステムのブレーキ回路内のブレーキ圧上昇は、ブレーキシステムのマスタブレーキシリンダに配置されたブレーキ操作部材が車両の運転者によって操作されているにも拘わらず、ブレーキ回路のリザーブチャンバ／蓄圧容積部の応答圧力に制限される。これは、車両のそれぞれ１つの後輪に配設された後輪ホイールブレーキシリンダの後輪ホイール出口弁を開放された状態に制御することによって、行われる。これに対して、後輪ホイール出口弁を開放された状態に制御している間、少なくとも一時的に，車両のそれぞれ１つの前輪に配設された前輪ホイールブレーキシリンダの前輪ホイール入口弁は閉鎖された状態に制御される。このような形式で、ブレーキシステムのマスタブレーキシリンダからブレーキ回路内にブレーキ液が送り込まれているにも拘わらず、リザーブチャンバ／蓄圧容積部の応答圧力を上回るブレーキ圧上昇に抗する効果的な作用が得られる。
【００５６】
従って、時点ｔ０とｔ１との間で、運転者はブレーキ液容積がマスタブレーキシリンダからリザーブチャンバ内に送り込まれ、それによって蓄圧容積Ｖが増大する。従って、時点ｔ０とｔ１との間で、後輪ホイールブレーキシリンダ内にリザーブチャンバ／蓄圧容積部の応答圧力と同じブレーキ圧が形成され、前輪ホイールブレーキシリンダ内に（ほぼ）ゼロであるブレーキ圧が形成される。従って、後輪ホイールブレーキシリンダは、時点ｔ０とｔ１との間で、「応答圧力ブレーキトルク」に等しい後輪ブレーキトルクＭ−ＨＲを生ぜしめる。前輪ホイールブレーキシリンダの前輪ブレーキトルクＭ−ＶＲは、時点ｔ０とｔ１との間で（ほぼ）ゼロである。従って、時点ｔ０とｔ１との間で、ブレーキ回路内の圧力上昇の制限に基づいて、比較的高いジェネレータブレーキトルクＭｇｅｎが少なくとも１つの電動機によって車両に作用せしめられる。高いジェネレータブレーキトルクＭｇｅｎの作用にも拘わらず、前記方法ステップに基づいて、運転者のブレーキ操作により与えられた目標全ブレーキトルクＭｇｅｓを越えないことが、確実に保証されている。
【００５７】
ブレーキ回路の後輪ホイールブレーキシリンダの後輪ホイール出口弁が無電流閉鎖式の弁として構成されていれば、ゼロではない制御信号ｌａ−ＨＲが、時点ｔ０とｔ１との間で（第１の制御信号として）後輪ホイール出口弁にアウトプットされる。好適な形式で後輪ホイールブレーキシリンダの後輪ホイール出口弁が開放された状態に制御されている間、少なくとも一時的に、後輪ホイールブレーキシリンダの後輪ホイール入口弁も開放された状態に制御される。後輪ホイールブレーキシリンダの後輪ホイール入口弁を開放された状態に制御するために、この後輪ホイール入口弁が無電流開放式の弁として構成されていれば、ゼロに等しい制御信号ｌｅ−ＨＲが後輪ホイールブレーキシリンダの後輪ホイール入口弁にアウトプットされる。前輪ホイールブレーキシリンダの前輪ホイール入口弁が無電流開放式の弁として構成されている場合、ゼロではない制御信号ｌｅ−ＶＲが時点ｔ０とｔ１との間で、（第２の制御信号として）前輪ホイール入口弁に提供される。好適な形式で、２つのブレーキ回路の前輪ホイールブレーキシリンダの前輪ホイール出口弁も、時点ｔ０とｔ１との間で閉鎖されている。これは、前輪ホイールブレーキシリンダの前輪ホイール出口弁が無電流閉鎖式の弁である場合は、ゼロに等しい制御信号ｌａ−ＶＲによって実現可能である。
【００５８】
この方法の好適な実施例によれば、前輪ホイールブレーキシリンダの前輪ホイール入口弁は（同時に／後輪ホイール出口弁が開放された状態に制御されている間に）、ブレーキ回路内の圧力上昇を応答圧力に制限するために、前輪ホイールブレーキシリンダがブレーキ圧上昇なしに前以て充填されるように、遅らせて閉鎖された状態に制御される。このような形式で、前輪ホイール入口弁の閉鎖前に、前輪ホイールブレーキシリンダは無駄容積を克服することができる。前輪ホイールブレーキシリンダを前以て充填することによって、前輪ホイール入口弁が後で開放する際に、ブレーキ回路内に形成されたブレーキ圧／残圧が急激に消失することは阻止される。このような形式の、ブレーキ圧／残圧の急激な消失は、運転者によってブレーキ操作部材の操作中にしばしば感じとられ、運転者にとって不都合であると認められる。しかしながら、前輪ホイールブレーキシリンダを前以て充填することによって、このような快適性の妨害は確実に阻止される。さらに、前輪ホイール入口弁を遅れて閉鎖することによって、不必要に多量の蓄圧容積Ｖがリザーブチャンバ／蓄圧容積部内に蓄えられることがないように、保証される。このような形式で、リザーブチャンバ／蓄圧容積部の耐久性を損なう負荷も減少され、リザーブチャンバ／蓄圧容積部の耐用年数／使用期間は延長される。
【００５９】
前輪ホイールブレーキシリンダを閉鎖された状態に遅らせて制御するとは、前輪ホイールブレーキシリンダが短い遅延時間Δｔだけ、開放された状態のままにしておく、ということである。遅延時間Δｔの直後に、前輪ホイールブレーキシリンダは閉鎖された状態に制御される。従って、遅延時間Δｔを除いて、後輪ホイール出口弁を開放された状態に制御している間、前輪ホイールブレーキシリンダは閉鎖された状態にあることが保証される。しかしながら、前輪ホイールブレーキシリンダを閉鎖された状態に遅らせて制御する代わりに、開放された状態への後輪ホイール出口弁の制御と、閉鎖された状態への前輪ホイールブレーキシリンダの制御とを、同時に行ってもよい。
【００６０】
従って、好適な形式で、前輪ホイール入口弁を閉鎖するために、制御信号ｌｅ−ＶＲを０から１に上昇させることは、ブレーキ操作部材センサ、例えばペダルストロークセンサの提供されたセンサ信号を考慮して行われる。既にマスタブレーキシリンダからブレーキ回路内、特に前輪ホイールブレーキシリンダ内に送り込まれたブレーキ液容積は、ブレーキ操作部材センサのセンサ信号によって算出／評価される。ブレーキ液容積が、典型的な初期の無駄容積に応じて前輪ホイールブレーキシリンダ内に送り込まれると、それによって、前輪ホイールブレーキシリンダの前輪ホイール入口弁の閉鎖が開始される。このような形式で、前輪ホイールブレーキシリンダが（僅かに）充填されたにも拘わらず、前輪ホイールブレーキシリンダ内にブレーキ圧が形成されることはない。それと同時に、前輪ホイール入口弁が遅れて開放される際に、ブレーキ回路内に存在するブレーキ圧／残圧が消失しないことが、保証されている。
【００６１】
好適な形式で、ブレーキ回路内での圧力上昇が応答圧力に制限される前に、ブレーキ操作部材の操作の操作力に相当するジェネレータブレーキトルクＭｇｅｎを車両の少なくとも１つの電動機によって作用させることができるかどうかが確認される。ブレーキ回路内での圧力上昇の、応答圧力への制限は、場合によっては、操作力に相当するジェネレータブレーキトルクＭｇｅｎを少なくとも１つの電動機によっても作用可能である場合にだけ、実施される。
【００６２】
Ｘ型ブレーキ回路分割を有するブレーキシステムでは、一般的に、比較的大きい最大実施可能な可能ジェネレータブレーキトルクＭｋａｎｎが提供されることも指摘しておく。従って、時点ｔ０とｔ１との間に記述された利点は、しばしばブレーキ操作のすべての経過のために利用され得る。
【００６３】
ブレーキ回路内の圧力上昇を応答圧力に制限した後で、操作力に相当するジェネレータブレーキトルクＭｇｅｎを、もはや少なくとも１つの電動機によって作用させることができない場合、それでも車両を確実に制動するために、以下の方法を実施することができる。
【００６４】
時点ｔ２から、運転者によって設定された上昇する目標全ブレーキトルクＭｇｅｓは、最大実施可能な可能ジェネレータブレーキトルクＭｋａｎｎに近づく。従って、運転者にさらに、標準的なブレーキ操作感覚／ペダル感覚を与えるために、時点ｔ２から、前輪ホイールブレーキシリンダ内でブレーキ圧上昇が行われる。このために、前輪ホイールブレーキシリンダの前輪ホイール入口弁が、閉鎖された状態から開放された状態に制御される。このような形式で、運転者がブレーキ操作部材をさらに操作することによって、前輪ホイールブレーキシリンダ内のブレーキ圧上昇が行われる。従って前輪ホイールブレーキシリンダは、時点ｔ１から、ゼロではない前輪ブレーキトルクＭ−ＶＲを生ぜしめる。ブレーキ操作部材を操作する操作力が、時点ｔ２から一定に維持されている限り、前輪ホイールブレーキシリンダによって生ぜしめられる前輪ブレーキトルクＭ−ＶＲも上昇しない。時点ｔ３から操作力が低下すると、前輪ブレーキトルクＭ−ＶＲも相応に低下する。
【００６５】
ジェネレータブレーキトルクＭｇｅｎに加えて前輪ブレーキトルクＭ−ＶＲを作用させるために、前輪ホイールブレーキシリンダを使用することによって、前輪ホイールブレーキシリンダの比較的高い定数を、運転者によって予め設定された目標車両遅延度Ｍｇｅｓを維持するために使用可能であることが保証され得る。
【００６６】
好適な形式で、前輪ホイール入口弁を、時点ｔ１〜ｔ４の間で閉鎖された状態から開放された状態に制御した後で、後輪ホイールブレーキシリンダの後輪ホイール入口弁によってΔｐ制御が実施される。このような形式で前輪ブレーキトルクＭ−ＶＲは正確に好適な値に調節可能である。
【００６７】
前輪ホイール入口弁を閉鎖された状態から開放された状態に制御した後で、操作力に相当するジェネレータブレーキトルクＭｇｅｎを少なくとも１つの電動機によって新たに生ぜしめることができる場合は、ブレーキ回路内に形成されたブレーキ圧は応答圧力に再び制限される。これは、運転者に要求された目標全ブレーキトルクＭｇｅｓが、最大実施可能な可能ジェネレータブレーキトルクＭｋａｎｎ以下に低下した後で、例えば時点ｔ４後に実施される。ブレーキ回路内のブレーキ圧を応答圧力に制限するためには、後輪ホイール出口弁を開放された状態に制御するだけである。前輪ホイール入口弁は、時点ｔ４後にも開放された状態のままであってよい。従って、運転者がブレーキ操作部材の操作を終了する時点ｔ５まで、すべてのホイールブレーキシリンダ内に、蓄圧容積部の応答圧力だけが存在する。
【符号の説明】
【００６８】
１０  第１のブレーキ回路
１２  第２のブレーキ回路
１４ａ，１４ｂ  後輪ブレーキホイールシリンダ
１６ａ，１６ｂ  前輪ホイールブレーキシリンダ
１８  マスタブレーキシリンダ
２０  ブレーキ液リザーブタンク
２２  ブレーキ操作部材
２４  ブレーキ操作部材センサ
２６  ブレーキ倍力装置
２８ａ，２８ｂ  高圧切換弁
２９ａ，２９ｂ  バイパス管路
３０ａ，３０ｂ  切換弁
３１ａ，３１ｂ  逆止弁
３２ａ，３２ｂ  後輪ホイール入口弁
３４ａ，３４ｂ  前輪ホイール入口弁
３６ａ，３６ｂ  バイパス管路
３８ａ，３８ｂ  逆止弁
４０ａ，４０ｂ  後輪ホイール出口弁
４２ａ，４２ｂ  前輪ホイール出口弁
４４ａ，４４ｂ  ポンプ
４６ａ，４６ｂ  蓄圧容積部／リザーブチャンバ
４８ａ，４８ｂ  圧力逃がし弁
５０  軸
５２  モータ
５４  圧力センサ
１００  コントロール装置
１０２  制御装置
１０４  センサ信号
１０６，１０８  制御信号
Ｉ  電流の強さ
ｌａ−ＨＲ  制御信号
ｌａ−ＶＲ  制御信号
ｌｅ−ＨＲ  制御信号
ｌｅ−ＶＲ  制御信号
Ｍ  ブレーキトルク
Ｍｇｅｎ  ジェネレータブレーキトルク
Ｍｇｅｓ  目標全ブレーキトルク
Ｍ−ＨＲ  後輪ブレーキトルク
Ｍｋａｎｎ  可能ジェネレータブレーキトルク
Ｍ−ＶＲ  前輪ブレーキトルク
ｔ  時間軸
ｔ０，ｔ１〜ｔ９  時点
Ｖ  蓄圧容積
Δｔ  遅延時間
【図１】
2016500350.tif 000003
【図２ａ】
2016500350.tif 000004
【図２ｂ】
2016500350.tif 000005
【図２ｃ】
2016500350.tif 000006
【手続補正書】
【提出日】平成27年6月8日(2015.6.8)
【手続補正１】
【補正対象書類名】特許請求の範囲
【補正対象項目名】全文
【補正方法】変更
【補正の内容】
【特許請求の範囲】
【請求項１】
車両のブレーキシステムを運転するための方法であって、
ブレーキシステムのマスタブレーキシリンダ（１８）に接続されたブレーキ操作部材（２２）が車両の運転者によって操作されている間、少なくとも一時的に、少なくとも１つのブレーキ回路（１０，１２）の少なくとも１つのホイールブレーキシリンダ（１４ａ，１４ｂ）の少なくとも１つのホイール出口弁（４０ａ，４０ｂ）を開放された状態に制御することによって、ブレーキシステムの少なくとも１つの前記ブレーキ回路（１０，１２）内のブレーキ圧上昇を、少なくとも１つの前記ブレーキ回路（１０，１２）の蓄圧容積部（４６ａ，４６ｂ）の応答圧力に制限するステップを有している方法において、
車両のそれぞれ１つの後輪に配設された、後輪ホイールブレーキシリンダ（１４ａ，１４ｂ）の後輪ホイール出口弁（４０ａ，４０ｂ）を、前記ブレーキ操作部材（２２）の操作中に少なくとも一時的に、開放された状態に制御し、前記後輪ホイールブレーキシリンダ（１４ａ，１４ｂ）の前記後輪ホイール出口弁（４０ａ，４０ｂ）が開放された状態に制御されている間、少なくとも一時的に、車両のそれぞれ１つの前輪に配設された前輪ホイールブレーキシリンダ（１６ａ，１６ｂ）の前輪ホイール入口弁（３４ａ，３４ｂ）を、閉鎖された状態に制御することを特徴とする、車両のブレーキシステムを運転するための方法。
【請求項２】
前記後輪ホイールブレーキシリンダ（１４ａ，１４ｂ）の前記後輪ホイール出口弁（４０ａ，４０ｂ）が開放された状態に制御されている間、少なくとも一時的に、前記後輪ホイールブレーキシリンダ（１４ａ，１４ｂ）の前記後輪ホイール入口弁（３２ａ，３２ｂ）を開放された状態に制御する、請求項１に記載の方法。
【請求項３】
前記後輪ホイールブレーキシリンダ（１４ａ，１４ｂ）の前記後輪ホイール出口弁（４０ａ，４０ｂ）が開放された状態に制御されている間、前記前輪ホイールブレーキシリンダ（１６ａ，１６ｂ）の前記前輪ホイール入口弁（３４ａ，３４ｂ）を、前記前輪ホイールブレーキシリンダ（１６ａ，１６ｂ）がブレーキ圧上昇なしに前以て充填されるように、遅らせて開放状態に制御する、請求項１または２に記載の方法。
【請求項４】
前記ブレーキ回路（１０，１２）内の圧力上昇を前記応答圧力に制限するために、前記後輪ホイール出口弁（４０ａ，４０ｂ）を開放された状態にする制御と、前記前輪ホイールブレーキシリンダ（３４ａ，３４ｂ）を閉鎖された状態にする制御とを同時に行う、請求項１または２に記載の方法。
【請求項５】
前記ブレーキ回路（１０，１２）内の圧力上昇を前記応答圧力に制限する前に、前記ブレーキ操作部材（２２）の操作の操作力に相当するジェネレータトルク（Ｍｇｅｎ）を車両の少なくとも１つの電動機によって生ぜしめることができるかどうかを確認し、前記操作力に相当する前記ジェネレータブレーキトルク（Ｍｇｅｎ）を少なくとも１つの前記電動機によって生ぜしめることができる場合にだけ、前記ブレーキ回路（１０，１２）内の圧力上昇を前記応答圧力に制限する、請求項１から４のいずれか１項に記載の方法。
【請求項６】
前記ブレーキ回路（１０，１２）内の圧力上昇を前記応答圧力に制限した後で、前記操作力に相当する前記ジェネレータブレーキトルク（Ｍｇｅｎ）を少なくとも１つの前記電動機によってもはや生ぜしめることができないことが確認されると、前輪ホイールブレーキシリンダ（１６ａ，１６ｂ）の前記前輪ホイール入口弁（３４ａ，３４ｂ）を閉鎖された状態から開放された状態に制御する、請求項５に記載の方法。
【請求項７】
前記前輪ホイールブレーキ入口弁（３４ａ，３４ｂ）を閉鎖された状態から開放された状態に制御した後で、Δｐ制御を、前記後輪ホイールブレーキシリンダ（１４ａ，１４ｂ）の前記後輪ホイール入口弁（４０ａ，４０ｂ）によって実施する、請求項６に記載の方法。
【請求項８】
前記前輪ホイール入口弁（３４ａ，３４ｂ）を閉鎖された状態から開放された状態に制御した後で、操作力に相当する前記ジェネレータブレーキトルク（Ｍｇｅｎ）を少なくとも１つの前記電動機によって新たに生ぜしめることができると確認されると、前記後輪ホイール出口弁（４０ａ，４０ｂ）を開放された状態に制御することによって、前記ブレーキ回路（１０，１２）内に存在するブレーキ圧を前記応答圧力に制限する、請求項６または７に記載の方法。
【請求項９】
車両のブレーキシステムのためのコントロール装置（１００）であって、
制御装置（１０２）を有しており、該制御装置（１０２）によって、ブレーキシステムの少なくとも１つのブレーキ回路（１０，１２）のホイールブレーキシリンダ（１４ａ，１４ｂ）の少なくとも１つのホイール出口弁（４０ａ，４０ｂ）が、前記ブレーキシステムのマスタブレーキシリンダ（１８）に接続されたブレーキ操作部材（２２）の、車両の運転者による操作の操作力に関する、提供された少なくとも１つのセンサ信号（１０４）を考慮して、開放された状態に制御可能であり、それによって、少なくとも１つの前記ブレーキ回路（１０，１２）内のブレーキ圧上昇が、前記ブレーキ操作部材（２２）の操作中に少なくとも一時的に、少なくとも１つの前記ブレーキ回路（１０，１２）の蓄圧容積部（４６ａ，２６ｂ）の応答圧力に制限可能である、
形式のものにおいて、
前記制御装置（１０２）はさらに、車両のそれぞれ１つの後輪に配設された、後輪ホイールブレーキシリンダ（１４ａ，１４ｂ）の後輪ホイール出口弁（４０ａ，４０ｂ）が、前記ブレーキ操作部材（２２）の操作中に少なくとも一時的に、少なくとも１つの第１の制御信号（１０６，ｌａ−ＨＲ）によって開放された状態に制御されるように設計され、かつ、少なくとも１つの前記第１の制御信号（１０６，ｌａ−ＨＲ）が前記後輪ホイール出口弁（４０ａ，４０ｂ）に提供されている間、少なくとも一時的に、車両のそれぞれ１つの前輪に配設された、前輪ホイールブレーキシリンダ（１６ａ，１６ｂ）の前輪ホイール入口弁（３４ａ，３４ｂ）が、少なくとも１つの第２の制御信号（１０８，ｌｅ−ＶＲ）によって、閉鎖された状態に制御されるように設計されていることを特徴とする、車両のブレーキシステムのためのコントロール装置（１００）。
【請求項１０】
車両のためのブレーキシステムにおいて、請求項９に記載したコントロール装置（１００）を有する、車両のためのブレーキシステム。
【国際調査報告】
2016500350.tif 000007
2016500350.tif 000008
2016500350.tif 000009
2016500350.tif 000010
2016500350.tif 000011
2016500350.tif 000012